(57)【要約】【課題】  対象物の含水率を容易に計測でき、かつ容易に表示できる構成にすることによって、取り扱いが簡単であるとともに、低コストで製造可能である簡易型含水量計測装置を提供する。【解決手段】  対象物に電圧を印加した際の電気抵抗値に基づき、対象物の含水率を計測する簡易型計測装置であって、対象物に電圧を印加し、かつ該対象物からの入力電圧を検出する一対の探針子と、入力電圧を区分するために、所定の電圧閾値毎に設けられ、入力電圧と予め記憶されている所定の電圧閾値とを比較し、その結果に基づいて指令信号を出力する複数の電圧比較手段と、指令信号を入力し、論理積出力を発生する複数の論理ゲートと、論理積出力に基づき、点灯・消灯する複数のＬＥＤとからなり、所定の電圧閾値毎に設けられたＬＥＤが点灯・消灯することによって、対象物の含水率を表示するようにした。【選択図】図２
0003105153.tif 000002
【実用新案登録請求の範囲】
【請求項１】
対象物に電圧を印加した際の電気抵抗値に基づき、前記対象物の含水率を計測する簡易型計測装置であって、
前記対象物に電圧を印加し、かつ該対象物からの入力電圧を検出する一対の探針子と、
前記入力電圧を区分するために所定の電圧閾値毎に設けられ、前記入力電圧と予め記憶されている前記所定の電圧閾値とを比較し、その結果に基づいて指令信号を出力する複数の電圧比較手段と、
前記指令信号を入力し、論理積出力を発生する複数の論理ゲートと、
前記論理積出力に基づき、点灯・消灯する複数のＬＥＤと
からなり、前記所定の電圧閾値毎に設けられたＬＥＤが点灯・消灯することによって、前記対象物の含水率を表示するようにしたことを特徴とする簡易型含水率計測装置。
【請求項２】
前記所定の電圧閾値は、前記含水率を１％毎に区分するように設定された請求項１に記載の簡易型含水率計測装置。
【請求項３】
前記含水率の計測範囲は、１０〜２０％である請求項１または２に記載の簡易型含水率計測装置。
【考案の詳細な説明】
【技術分野】
【０００１】
本考案は、対象物の含水率を計測する装置に関し、特に農産物などの特定の含水率範囲を有するものを対象とした簡易型含水率測定装置に関する。
【背景技術】
【０００２】
近年、農作業の分野において、野菜等の農産物を収穫時と同等の鮮度を維持したまま貯蔵しておくために、収穫した野菜を強制的に乾燥させ、その後低温で貯蔵する方法が、一部の野菜で適用させている。
【０００３】
このような方法を適用して貯蔵される野菜として、例えば、ニンニク等があげられる。この方法では、貯蔵する対象物を強制的に乾燥させる際、および乾燥させた対象物を一定期間貯蔵する際に、対象物の乾燥状態（含水率）を一定の値に管理することが重要である。
【０００４】
そこで、乾燥状態を管理するために、対象物の含水率を計測するものとして、木材等を対象とした電気抵抗式水分計が応用されている。このような電気抵抗式水分計は、対象物の電気抵抗値を検出するセンサ部と、収集したアナログ値データをデジタル化するＡ／Ｄ変換部と、デジタル化された値データを含水率に変換する計算処理部と、該計算処理部によって計算された結果を数値で表示する数値表示部とから構成され、対象物に電圧を印加した際の抵抗値に基づき、対象物の含水率を計測するようになっている。
【考案の開示】
【考案が解決しようとする課題】
【０００５】
しかしながら、上述したような電気抵抗式水分計では、一般的に、汎用性が重視されるため、測定範囲が約６〜１００％と広域であった。これにより、この広域に亘る測定範囲の分解能を細密にする必要があるため、部品点数が多くなってしまい、構成が複雑であった。その結果、製造コストおよび労力が嵩んでしまい、低価格で需要者に装置を提供することができなかった。
【０００６】
また、農業関係者からは、上述した農産物の貯蔵方法を普及させるために、取り扱いが簡単であり、かつ安価である含水率測定器が求められていた。
【０００７】
本考案は、上述したような事情に鑑みてなされたものであり、その目的とするところは、対象物の含水率を容易に計測でき、かつ容易に表示できる構成にすることによって、取り扱いが簡単であるとともに、低コストで製造可能である簡易型含水量計測装置を提供することにある。
【課題を解決するための手段】
【０００８】
本考案の上記目的は、対象物に電圧を印加した際の電気抵抗値に基づき、前記対象物の含水率を計測する簡易型計測装置であって、前記対象物に電圧を印加し、かつ該対象物からの入力電圧を検出する一対の探針子と、前記入力電圧を区分するために、所定の電圧閾値毎に設けられ、前記入力電圧と予め記憶されている前記所定の電圧閾値とを比較し、その結果に基づいて指令信号を出力する複数の電圧比較手段と、前記指令信号を入力し、論理積出力を発生する複数の論理ゲートと、前記論理積出力に基づき、点灯・消灯する複数のＬＥＤとからなり、前記所定の電圧閾値毎に設けられたＬＥＤが点灯・消灯することによって、前記対象物の含水率を表示するようにしたことにより、達成される。
【０００９】
また、上記目的は、前記所定の電圧閾値は、前記含水率を１％毎に区分するように設定されたことにより、効果的に達成される。
【００１０】
また、上記目的は、前記含水率の計測範囲は、１０〜２０％であることにより、効果的に達成される。
【考案の効果】
【００１１】
以上のように、本考案に係る簡易型含水率計測装置によると、入力電圧を区分するために、電圧比較手段を所定の電圧閾値毎に設け、入力電圧と予め記憶されている所定の電圧閾値とを比較し、該電圧閾値毎に設けられたＬＥＤを点灯・消灯するようにした。この構成により、複雑な操作をすることなく、対象物の含水率を容易に計測できるとともに、その含水率を容易に表示することができる。
【００１２】
また、本簡易型含水率測定装置は、計算処理部等の高価な部品を有していない簡単な構成であるため、低コストで製造することができる。この結果、上述したような農業関係者が、低価格で本測定装置を購入することができ、農産物を高品質で長期保存できるようになり、農産振興に寄与することができる。
【００１３】
さらに、対象物を農産物と限定し、対象とする農産物に応じて、含水率の計測範囲を、例えば１０〜２０％として構成することにより、より低コストで、測定精度の高い含水率測定装置を提供することができる。
【考案を実施するための最良の形態】
【００１４】
以下、図面を参照にしながら、本考案の実施形態に係る簡易型含水率計測装置について説明する。
【００１５】
図１は、本実施形態に係る簡易型含水率測定装置の外観図であり、図２は、この簡易型測定装置のブロック図である。図１および図２において、簡易型含水率測定装置１は、測定対象物２に電圧を印加し、該測定対象物２からの入力電圧を検出する一対の探針子３と、該探針子３からの入力電圧を区分するために所定の電圧閾値（比較電圧）毎に設けられ、入力電圧と予め記憶されている比較電圧とを比較し、その結果に基づいて指令信号を出力する複数の電圧比較手段４と、該電圧比較手段４から指令信号を入力し、論理積出力を発生する複数の論理ゲート（エクスクルシブ・ＯＲ（あるいはＮＯＲ））５と、該論理ゲート５の論理積出力に基づき、点灯・消灯する複数のＬＥＤ６とから構成されている。
【００１６】
比較電圧ｉ（ｉ＝１〜ｎ）は、一般の電気抵抗式水分計で測定対象となる所定の木材に印加される電圧Ｖ＋を、含水率の表示閾値に対応させ、探針子３の間の距離に対応する電気抵抗と負荷抵抗とで分圧した値を計算して設定されている。
【００１７】
図２に示すプロックは、図１に示す筐体７内に収納されている。この筐体７は、裏面（図１（ｃ））の電池収納蓋８の内側に、本装置１を駆動するための電池９を収納しており、また、正面（図１（ａ））には、分解能毎に設けられた複数のＬＥＤ６と、電池９の残量がなくなると点灯する電池交換ＬＥＤ１０と、測定する際に本装置１を起動するためのスイッチ１１とを備えている。
【００１８】
本実施形態では、測定対象物２をニンニク等の農産物に限定し、検出・表示範囲を含水率１０％〜２０％、表示分解能を１％とする。この場合、比較電圧（１）〜（ｎ）は、以下のように設定される。
【００１９】
［比較電圧（１）］
含水率１０．５％に対応する所定の木材の電気抵抗と負荷抵抗とによってＶ＋を分圧した値，
［比較電圧（２）］
含水率１１．５％に対応する所定の木材の電気抵抗と負荷抵抗とによってＶ＋を分圧した値，
［比較電圧（３）］
含水率１２．５％に対応する所定の木材の電気抵抗と負荷抵抗とによってＶ＋を分圧した値，
［比較電圧（４）］
含水率１３．５％に対応する所定の木材の電気抵抗と負荷抵抗とによってＶ＋を分圧した値，
・・・・・・，
［比較電圧（１０）］
含水率１９．５％に対応する所定の木材の電気抵抗と負荷抵抗とによってＶ＋を分圧した値。
【００２０】
なお、所定の木材の含水率と対応する電気抵抗値とは、実験により求められ、その値は水分計によって異なる。また、本実施例の場合、電圧比較手段４の数ｎは、（１）〜（１０）となり、論理ゲート５およびＬＥＤ６の数ｍは、｛１｝〜｛１１｝となる。
【００２１】
上述したように検出・表示手段および表示分解能を設定した本実施形態では、含水率が１０％の場合には、電圧比較手段４の（１）から（１０）の全ての指令信号が「論理０」となる。この結果、論理ゲート５の{１}の入力だけ、「論理１（＝Ｖ＋）」と「論理０」との相違が発生する。よって、論理ゲート５の｛１｝の論理積出力のみが、反転してＬＥＤの｛１｝を点灯するようになっている。
【００２２】
また、例えば、測定対象物の電気抵抗値が含水率１４％に相当する値の場合には、電圧比較手段４の｛１｝〜｛４｝の入力電圧の値が、比較電圧（１）〜（４）の値を上回るが、比較電圧（５）〜（１０）の値は下回る。この結果、論理ゲート５の｛１｝〜｛４｝の各指令信号の入力は、２つの入力とも「論理１（＝Ｖ＋）」となるため、これらの論理積出力は反転しない。また、論理ゲート５の｛６｝〜｛１１｝の各指令信号の入力は、２つの入力とも「論理０」となるため、これらの論理積出力は、同様に反転しない。一方、論理ゲート５の｛５｝の指令信号の入力は、電圧比較手段４の（４）からの指令信号が、「論理１（＝Ｖ＋）」であるのに対し、電圧比較手段４の（５）からの入力信号が「論理０」となる。この結果、論理ゲート５の｛５｝だけが、入力される２つの指令信号の論理に相違が生じ、反転するため、この論理ゲート５の｛５｝に対応するＬＥＤ６の｛５｝が点灯するようになっている。
【００２３】
上述したように設定した本実施形態では、含水率と点灯するＬＥＤ６との関係は以下のようになっている。
【００２４】
ＬＥＤ（１）  ：  含水率１０％、あるいは１０％以下
ＬＥＤ（２）  ：  含水率１１％
ＬＥＤ（３）  ：  含水率１２％
ＬＥＤ（４）  ：  含水率１３％
ＬＥＤ（５）  ：  含水率１４％
ＬＥＤ（６）  ：  含水率１５％
ＬＥＤ（７）  ：  含水率１６％
ＬＥＤ（８）  ：  含水率１７％
ＬＥＤ（９）  ：  含水率１８％
ＬＥＤ（１０）：  含水率１９％
ＬＥＤ（１１）：  含水率２０％、あるいは２０％以上
以上のように、本実施形態では、測定対象物の含水率検出範囲が、所定の範囲に収まる場合（例えば、ニンニクなど農産物の含水率を測定する場合）に用いる含水率測定装置において、入力電圧を区分するために、電圧比較手段４を所定の電圧閾値毎に設け、入力電圧と予め記憶されている所定の電圧閾値とを比較し、該電圧閾値毎に設けられたＬＥＤ６を点灯・消灯するように構成した。これにより、構造が簡易化され、測定精度の高い含水率測定装置を低コストで提供することができる。この結果、多くの需要者が、低価格で本含水率測定装置１を購入することができ、農産物の含水率管理の向上などに大きく貢献することができる。
【００２５】
以上、本考案を具体的に説明してきたが、本考案はそれに限定されるものではなく、その趣旨を逸脱しない範囲で種々変更可能である。
【図面の簡単な説明】
【００２６】
【図１】本考案の実施形態に係る簡易型含水率測定装置の外観を示し、（ａ）は、その正面図であり、（ｂ）は、その側面図であり、（ｃ）は、その背面図である。
【図２】上記簡易型含水率測定装置の機能ブロック図である。
【符号の説明】
【００２７】
１    簡易型含水率測定装置
２    測定対象物
３    探針子
４    電圧比較手段
５    論理ゲート（エクスクルシブＯＲ（あるいはＮＯＲ））
６    ＬＥＤ
【図１】
0003105153.tif 000003
【図２】
0003105153.tif 000004